(57)【要約】【課題】簡単な構成で、薬剤容器内の凝集塊や白濁および異物を検出できる薬液混合監査支援システムおよび薬液混合検査方法を提供する。【解決手段】本発明の薬液混合監査支援システム１０は、基台部１３と、基台部１３の表面１３ａの一部に設けられた、薬瓶１４ａを配置する薬瓶搭載部１４と、処方箋情報、監査情報および混合調製情報のうちの少なくとも何れかを画面１１ａに表示する情報提示部１１と、を備え、薬剤搭載部１４に配置された少なくともいずれかの薬瓶１４ａに入った薬液を輸液バッグ１２に混合した後に、輸液バッグ１２を情報提示部１１の画面１１ａ上に隣接して配置し、情報提示部１１を照明部として画面１１ａから幾何学パターン１５の照明光を輸液バッグ１２の背後より透過させて照射し、輸液バッグ１２内の異物１６または生成物１７を検査する構成からなる。【選択図】図１
2011095024.tif 000002
【特許請求の範囲】
【請求項１】
薬瓶内の薬液の混合作業を行うための基台部と、
前記薬瓶を搭載するために前記基台部に設けられた薬瓶搭載部と、
前記薬液の混合情報を画面に表示する情報提示部と、
前記情報提示部の角度に基づいて、前記画面の表示を前記混合情報から幾何学パターンに変更する制御部と、を備える、
薬液混合支援システム。
【請求項２】
薬瓶内の薬液の混合作業を行うための基台部と、
前記薬瓶を搭載するために前記基台部に設けられた薬瓶搭載部と、
前記薬液の混合情報を画面に表示する情報提示部と、
外部からの入力に基づいて、前記画面の表示を前記混合情報から幾何学パターンに変更する制御部と、を備える、
薬液混合支援システム。
【請求項３】
前記情報提示部は、前記基台部の表面の一部に配置された、
請求項２に記載の薬液混合支援システム。
【請求項４】
前記幾何学パターンは、白と黒との格子が交互に隣接した格子パターンである、
請求項１から３のいずれか１項に記載の薬液混合支援システム。
【請求項５】
前記幾何学パターンは、白と黒との四角形が交互に隣接した千鳥パターンである、
請求項１から３のいずれか１項に記載の薬液混合支援システム。
【請求項６】
前記幾何学パターンは、短冊状のパターンが前記画面上を左右または上下に移動するパターンである、
請求項１から３のいずれか１項に記載の薬液混合支援システム。
【請求項７】
前記幾何学パターンは、周期的に白と黒とのパターンが入れ替わるパターンである、
請求項１から６のいずれか１項に記載の薬液混合支援システム。
【請求項８】
前記格子パターンまたは前記千鳥パターンが、その面積が時間経過と共に拡大または縮小するパターンである、
請求項４または５に記載の薬液混合支援システム。
【請求項９】
前記情報提示部は、その背部に処方箋読取部を有し、処方箋情報または処方箋ＩＤを読み取ることにより、前記基台部に内蔵された制御部により混合情報を取得する、
請求項１または２に記載の薬液混合支援システム。
【請求項１０】
輸液バッグを配置する輸液バッグ搭載部と、
保持したシリンジを駆動させるシリンジ駆動装置を保持するクレードル部と、
周囲の人を監査照合する監査照合部と、を備えた、
請求項１から９のいずれか１項に記載の薬液混合支援システム。
【請求項１１】
情報提示部の画面表面と略平行に配置され、前記画面の混合情報に基づいてその内部で薬液が混合された輸液バッグに対し、前記画面の幾何学パターンによる光を照明光として前記輸液バッグを照射し、
前記輸液バッグを照射することにより前記輸液バッグ内の異物または生成物を検査する、
薬液混合検査方法。
【請求項１２】
前記幾何学パターンは、白と黒との格子が交互に隣接した格子パターンである、
請求項１１に記載の薬液混合検査方法。
【請求項１３】
前記幾何学パターンは、白と黒との四角形が交互に隣接した千鳥パターンである、
請求項１１に記載の薬液混合検査方法。
【請求項１４】
前記幾何学パターンは、短冊状のパターンが前記画面上を左右または上下に移動するパターンである、
請求項１１に記載の薬液混合検査方法。
【請求項１５】
前記幾何学パターンは、周期的に白と黒とのパターンが入れ替わるパターンである、
請求項１２から１４のいずれか１項に記載の薬液混合検査方法。
【請求項１６】
前記格子パターンまたは前記千鳥パターンが、その面積が時間経過と共に拡大または縮小するパターンである、
請求項１２または１３に記載の薬液混合検査方法。
【発明の詳細な説明】
【技術分野】
【０００１】
本発明は、医療などの分野において注射薬などの複数の薬液をシリンジなどで吸引して混合する時に用いる薬液混合支援システムおよび薬液混合検査方法に関する。
【背景技術】
【０００２】
病院などで薬液を入院患者などに施用する時に、数種類の薬液を異なった薬液容器から取り出して混合したものを施用する場合が多い。また、単一の薬液、または、このように混合された薬液を輸液バッグなどの薬液（主に生理食塩水）に混ぜて、入院患者などに点滴の形で施用することも多い。
【０００３】
ところで、このように複数の薬液を混合した場合に、酸−塩基反応等の化学的要因により輸液バッグなどの中に凝集塊や白濁が発生したり、あるいは、注射針穿刺時のコアリングなどにより輸液バッグなどの中に異物が混入する場合がある。このような凝集塊や白濁および異物のある薬液を注射薬として入院患者に施用することは、患者の安全性確保という観点から望ましいことではなく、注射薬などの薬液を混合する過程で選別されて取り除かれることが好ましい。
【０００４】
図１２（ａ）〜（ｄ）は、従来の異物検査装置１とこれにより撮像された画像を示す図である。図１２（ｃ）、（ｄ）は光透過性の容器２に充填された液体３中への異物混入の有無を検査する異物検査装置１の概略構成図である。図１２（ａ）、（ｂ）は、異物検査装置１により撮像された画像の一例を示す図である。
【０００５】
図１２（ｃ）に示すように、容器２内の異物４や凝集塊４ａを光学的に検出するために、透過照明部５が光源に用いられ、容器２が照明された状態で容器２の検査画像６を取得する。透過照明部５からの光は、異物４や凝集塊４ａをその内部に含んだ容器２を照明した後、撮像部７に入射することにより、検査画像６として撮像される。異物４や凝集塊４ａは、異物影８や凝集塊影８ａとして撮像部７により撮像され、容器２は、容器影２ａとして撮像部７により撮像され、検査画像６に反映される。
【０００６】
図１２（ｄ）は、図１２（ｃ）と同様の光学構成であるが、照明部のみが異なる。図１２（ｃ）は、照明部が透過照明部５のみであるが、図１２（ｄ）は、照明部が透過照明部５を挟んで反射照明用の反射照明部５ａが配置されている。
【０００７】
図１２（ｄ）に示すように、照明部を透過照明部５と反射照明部５ａとを同時に用いた混合照明の光により、異物４や凝集塊４ａを含んだ容器２を照明した後、撮像部７に入射させることにより、混合照明の検査画像６が撮像される。この時には、異物４は、図１２（ｃ）と同様に異物影８が明確に生成されて検査画像６にも異物４が反映される。一方、凝集塊４ａは、反射照明により凝集塊影８ａが薄くなり、検査画像６には反映されない。
【０００８】
このように、透過照明と混合照明との２種類の照明を使い分けて、検査画像６を撮像部７により撮像し、これらの検査画像６を解析することにより、異物４と凝集塊４ａとを区別して検出できることが示されている（例えば、特許文献１参照）。
【先行技術文献】
【特許文献】
【０００９】
【特許文献１】特開２００７−７８４９８号公報
【発明の概要】
【発明が解決しようとする課題】
【００１０】
しかしながら、上記で説明した従来の技術においては、異物検査専用の照明装置などが別途必要であり、全体の装置が複雑かつ高価となる。また、バイアル容器などの通常の薬剤容器以外の、例えば、輸液バッグなどの非定型かつ大きい形状で、しかも光学的に透過光に対してレンズ効果が少ない薬剤容器の異物検査には、適さないという課題もあった。
【００１１】
本発明は上記従来の課題を解決するものであり、簡易な構成の装置で薬剤容器内の凝集塊や白濁および異物を検出できる薬液混合支援システムおよび薬液混合検査方法を提供することを目的とする。
【課題を解決するための手段】
【００１２】
上記目的を達成するために、本発明の薬液混合支援システムは、薬瓶内の薬液の混合作業を行うための基台部と、前記薬瓶を搭載するために前記基台部に設けられた薬瓶搭載部と、前記薬液の混合情報を画面に表示する情報提示部と、前記情報提示部の角度に基づいて、前記画面の表示を前記混合情報から幾何学パターンに変更する制御部と、を備えることを特徴とする。
【００１３】
また、本発明の別の薬液混合支援システムは、薬瓶内の薬液の混合作業を行うための基台部と、前記薬瓶を搭載するために前記基台部に設けられた薬瓶搭載部と、前記薬液の混合情報を画面に表示する情報提示部と、外部からの入力に基づいて、前記画面の表示を前記混合情報から幾何学パターンに変更する制御部と、を備えることを特徴とする。
【００１４】
また、本発明の薬液混合検査方法は、情報提示部の画面表面と略平行に配置され、前記画面の混合情報に基づいてその内部で薬液が混合された輸液バッグに対し、前記画面の幾何学パターンによる光を照明光として前記輸液バッグを照射し、前記輸液バッグを照射することにより前記輸液バッグ内の異物または生成物を検査することを特徴とする。
【発明の効果】
【００１５】
本発明の薬液混合支援システムおよび薬液混合検査方法によれば、簡易な装置構成でありながら、例えば、輸液バッグ内の薬液中に存在する白色系の異物や生成物および黒色系の異物や生成物などでも、確実に検出することができる。
【図面の簡単な説明】
【００１６】
【図１】本発明の実施の形態１にかかる薬液混合調製支援システムの概略構成を示す図で、（ａ）斜視図、（ｂ）情報提示部を照明部として輸液バッグ内の異物および生成物を検出する一例を示す図
【図２】本発明の実施の形態１にかかる薬液混合監査システムの情報提示部の画面に映し出された処方箋情報の１例を示す図
【図３】本発明の実施の形態１にかかる薬液混合検査方法のフローチャート
【図４】本発明の実施の形態１にかかる薬液混合検査方法の概略構成を示す側面図
【図５】本発明の実施の形態１にかかる薬液混合検査方法に用いる幾何学パターンの一例を示す図
【図６】本発明の実施の形態１にかかる薬液混合検査方法に用いる幾何学パターンの一例を示す図
【図７】（ａ）本発明の実施の形態１にかかる薬液混合検査方法に用いる幾何学パターンの一例を示す図、（ｂ）本発明の実施の形態１にかかる薬液混合検査方法に用いる幾何学パターンの一例を示す図
【図８】（ａ）本発明の実施の形態１にかかる薬液混合検査方法に用いる幾何学パターンの一例を示す図、（ｂ）本発明の実施の形態１にかかる薬液混合検査方法に用いる幾何学パターンの一例を示す図
【図９】本発明の実施の形態１にかかる他の薬液混合監査システムの概略構成を示す平面図
【図１０】本発明の実施の形態２にかかる薬液混合監査支援システムの概略構成を示す斜視図
【図１１】本発明の実施の形態２にかかる薬液混合検査方法のフローチャート
【図１２】（ａ）従来の異物検査装置により撮像された画像の一例を示す図、（ｂ）従来の異物検査装置により撮像された画像の一例を示す図、（ｃ）従来の異物検査装置の概略構成図、（ｄ）従来の異物検査装置の概略構成図
【発明を実施するための形態】
【００１７】
以下、本発明の実施の形態について、図面を参照しながら説明する。なお、同じ構成要素には同じ符号を付しており、説明を省略する場合もある。また、図面は、理解しやすくするためにそれぞれの構成要素を主体に模式的に示している。
【００１８】
（実施の形態１）
図１（ａ）、（ｂ）は、本発明の実施の形態１にかかる薬液混合監査支援システム１０の概略構成を示す図で、図１（ａ）は、薬液混合監査支援システム１０の斜視図、図１（ｂ）は、薬液混合監査支援システム１０の情報提示部１１の画面１１ａ上に輸液バッグ１２を置いた状態の上面図である。図１（ｂ）に示すように、輸液バッグ１２を画面１１ａ上に置く場合には、情報提示部１１を図１（ａ）の矢印１１ｂの方向に倒して、画面１１ａをほぼ水平面に近くなるようにしている。
【００１９】
図１（ａ）、（ｂ）に示すように、本実施の形態１の薬液混合監査支援システム１０は、基台部１３と、薬瓶搭載部１４と、情報提示部１１と、を備えている。ここで、薬瓶搭載部１４は、基台部１３の表面１３ａの一部に設けられた、薬瓶１４ａを搭載するものである。また、情報提示部１１は、処方箋情報、監査情報および混合調製情報のうちの少なくとも何れかを画面１１ａに表示するものである。なお、情報提示部１１の画面１１ａとしては、例えば表示機能と入力機能を兼ね備えたタッチパネル等を用いても良い。これにより、情報提示部１１の画面１１ａに表示される情報を、タッチパネル上に表示されるボタン等に触れることで直感的に切り替えることが可能となる。
【００２０】
そして、薬瓶搭載部１４に搭載された薬瓶１４ａに入った薬液を輸液バッグ１２に注入混合した後に、矢印１１ｂの方向に倒した情報提示部１１の画面１１ａ上に輸液バッグ１２を配置する。その後、情報提示部１１を照明部として、画面１１ａから幾何学パターン１５の照明光を輸液バッグ１２の背後から透過させて照射する。
【００２１】
本実施の形態１の薬液混合監査支援システム１０は、幾何学パターン１５の照明光を輸液バッグ１２に透過させることで、輸液バッグ１２内の異物１６または生成物１７を検査する構成としている。
【００２２】
この構成により、輸液バッグ１２内の薬液中に白色系の異物や生成物または黒色系の異物や生成物が存在すると、後述するように、背景照明として照射される幾何学パターンとのコントラスト差により、確実に検出することができる。しかも、情報提示部１１の画面１１ａを必要に応じて異物検査の照明部として兼用して使用するので、コンパクトで低コストの装置として薬液混合監査支援システム１０を実現できる。
【００２３】
図１（ａ）に示すように、情報提示部１１は、背部１１ｃに処方箋読取部１８を有し、処方箋読取部１８で注射薬などの薬液処方箋（不図示）から処方箋情報または処方箋ＩＤを読み取る。また、処方箋読取部１８は、薬液の混合調製作業時に注射薬などの薬液処方箋を保持する処方箋フォルダを兼ねている。
【００２４】
処方箋読取部１８で読取ることにより、基台部１３に内蔵された制御部１９に、混合調製情報および混合監査情報の内の少なくともいずれかを取得する。
【００２５】
この構成により、処方箋情報に従い、正しく混合調製および混合監査を行うことができる。また、薬液処方箋を背部１１ｃに保持するので、混合調製作業時に紙の薬液処方箋が薬液等で汚れ、文字が読み取れなくなるなどのリスクを低減することができる。
【００２６】
このように構成された薬液混合監査支援システム１０の基本動作について簡単に説明する。
【００２７】
患者に施用する注射薬などの薬液を準備する際、まず、看護師などの混合調製作業者が、注射薬などの薬液処方箋を処方箋読取り部１８に挿入する。すると、処方箋読取り部１８は薬液処方箋から処方箋ＩＤなどを読みとる。ここで読み取られた処方箋ＩＤなどを元に、薬液混合監査支援システム１０は上位のデータベース（不図示）から、使用する薬瓶や混合調製情報を制御部１９に取得する。この時に、カメラ３１やＲＦＩＤ読取器（図示せず）などを用いて、注射薬などの薬液の混合調製作業を行う人、混合調製された薬液の監査を行う人などの照合監査情報も制御部１９で取得してもよい。これらの情報を取得することで、作業者の認証を行うことができる。
【００２８】
注射薬などの薬液処方箋、混合調製情報および混合監査情報などの医療情報を取得した後に、注射薬（薬液）の混合調製に関する情報が、情報提示部１１の画面１１ａに映し出される。
【００２９】
図２は、本発明の実施の形態１にかかる薬液混合監査支援システム１０の情報提示部１１の画面１１ａに映し出された処方箋情報の１例を示す図である。
【００３０】
図２に示す情報提示部１１の画面１１ａには、薬瓶搭載部１４に取り揃える薬瓶１４ａの画像情報１１ｄの外に、画面１１ａの上部に薬液の混合調製の一連の作業の中の現在の作業のステータス表示１１ｅが表示されている。また、ステータス表示１１ｅの下部には混合調製の作業についての具体的な指示の表示１１ｆ、患者情報１１ｇおよび薬液情報１１ｈが表示されている。これらの表示された各種医療情報を基に、図１（ａ）に示すように、薬瓶１４ａを薬瓶搭載部１４に搭載して並べる。なお、画面１１ａに表示される薬瓶１４ａの画像情報１１ｄは、各薬瓶の実物大の写真画像（以下、「実写画像」とする）であり、混合調製順に並べて表示されている。
【００３１】
この構成により、基台部１３の薬瓶搭載部１４に、混合順序に従って薬瓶１４ａを整列搭載する際も、薬瓶１４ａの実写画像と見比べながら搭載することができる。そのため、例えば、似通った名前の薬瓶があった場合にも、視覚的にも把握しやすく、薬瓶の混合順序間違いのない安全かつ正確な混合調製を実現できる。また、ステータス表示１１ｅを確認することで、作業者は現在、混合調製作業のどのステップにいるのかを容易に確認できるので、作業割込があった場合も容易に作業を再開することができる。
【００３２】
次に、シリンジ（図示せず）を用いて、画面１１ａの指示に従い、指示された薬瓶１４ａから所定の量の薬液をシリンジの中に吸引する。さらに、必要に応じて連続して吸引すべき他の薬瓶１４ａから所定の量の薬液をシリンジの中に吸引する。ここで、所定の量の薬液とは、図２に示すような、用量として表示されている１バイアル（１Ｖ）や１アンプル（１Ａ）のことで、例えばここでは各薬瓶の中の薬液を全量吸引することを示している。
【００３３】
シリンジに吸引した薬液は、輸液バッグ（図示せず）に注入して、輸液バッグ内の生理食塩水などと混合して混合液１２ａ（図１（ｂ）参照）とする。このような作業は、図１（ａ）に示す薬瓶搭載部１４と隣接した基台部１３の混合調製エリア１３ｂを作業台として行ってもよい。
【００３４】
全ての薬瓶１４ａを輸液バッグに注入、混合し終わると、情報提示部１１を矢印１１ｂの方向に倒して、画面１１ａを水平面と近い角度になるようにする。そして、図１（ｂ）に示すように、画面１１ａ上に混合液１２ａが入った輸液バッグ１２を配置する。この時に、画面１１ａを倒すことにより（画面１１ａの傾斜角度に応じて）画面１１ａの表示を混合調製情報などの医療情報から切り換えて、照明部としての表示とする。すなわち、図１（ｂ）に示すように、画面１１ａに幾何学パターン１５を表示して、この幾何学パターン１５に対応した照明光を、画面１１ａ上に配置した輸液バッグ１２の背後から照射する。これにより、輸液バッグ１２内の異物１６や生成物１７などが視覚検査により見つけられる。ここで、異物１６とは、主に黒色系の固形状の異物を指し、例えば、注射針を薬瓶１４ａまたは輸液バッグ１２のゴム口栓に穿刺する際の、注射針によりゴム栓の一部が削り取られるコアリング現象により生じたゴム片などを指している。また、生成物１７とは、主に白色系の異物で、薬液混合時の配合変化により生じた白濁や微粒子の凝集塊などを指している。
【００３５】
本発明では、これらの異物１６や生成物１７を視覚的に発見しやすくする為、幾何学パターン１５の照明光を輸液バッグ１２の背面から照射している。
【００３６】
これにより、輸液バッグ１２内の混合液中に白色系の生成物１７および黒色系の異物１６が存在すると、いずれも幾何学パターン１５とのコントラスト差により、確実に検出することができる。
【００３７】
なお、幾何学パターン１５は、異物１６や生成物１７が検査して発見しやすいものであれば、どのようなパターンでもよく、色彩も白黒のパターンに限るものではなく、その形状も四角形や短冊状を基本とした形状に限らなくてもよい。
【００３８】
しかしながら、混合液中の異物１６は黒色系のものが多く、生成物１７は白色系のものが多い。したがって、幾何学パターン１５は、図１（ｂ）に示すように、白と黒との四角形が交互に隣接した千鳥パターンであることが好ましい。このパターンを用いることにより、コントラストよく、確実に異物１６や生成物１７を検出することができる。
【００３９】
また、図１（ｂ）に示す幾何学パターン１５は、周期的に白と黒のパターンが入れ替わるように制御すると、さらに異物１６や生成物１７の検出精度が向上する。これは、図１（ｂ）の表示の時に、黒色系の異物１６の背景が黒色に、白色系の生成物の背景が白色になってしまっても、これらの白黒の色が周期的に反転するので、幾何学パターン１５の色が反転した時に見つけられるからである。
【００４０】
なお、幾何学パターン１５は、後述するように白と黒の格子が交互に隣接した格子パターンであっても、短冊状のパターンが画面１１ａ上を左右または上下に移動するパターンであってもよい。さらに、幾何学パターン１５は、その単位となる格子パターンを構成する格子または千鳥パターンを構成する四角形が、時間経過と共に拡大または縮小するパターンとしてもよい。
【００４１】
これにより、輸液バッグ１２内の混合液中に異物１６や生成物１７を、さらにコントラストよく、確実に検出することができる。
【００４２】
なお、本実施の形態１では、情報提示部１１を矢印１１ｂの方向に倒して、画面１１ａを水平面と近い角度になるようにし、画面１１ａ上に輸液バッグ１２を配置して、輸液バッグ１２内の異物１６または生成物１７の検出を行ったが、情報提示部１１を倒さず、画面１１ａの手前に輸液バッグ１２をかざして検査を行っても良い。
【００４３】
なお、この場合は、監査者が輸液バッグ１２を画面１１ａに表示された幾何学パターン１５に対し、並進、回転などの相対運動をさせることにより、幾何学パターン１５を時間的に変化させた場合と同様の効果を得ることができる。一方、幾何学パターン１５を時間的に変化させる場合は、輸液バッグ１２を画面１１ａの前で静止させることができるので、輸液バッグ１２の姿勢変化により薬剤搭載部１４に搭載した薬瓶１４ａを倒してしまうことを防止することができる。
【００４４】
次に本実施の形態１の薬液混合監査支援システム１０を用いた薬液混合検査方法について説明する。
【００４５】
図３は、本発明の実施の形態１にかかる薬液混合検査方法のフローチャートである。図４は、本発明の実施の形態１にかかる薬液混合検査の概略構成を示す側面図である。
【００４６】
図３に示すように、本実施の形態１にかかる薬液混合検査方法は、薬瓶１４ａから吸引した注射薬を輸液バッグ１２に注入し混合する混合ステップＳ１と、輸液バッグ１２を情報提示部１１の画面１１ａに隣接して配置する配置ステップＳ２と、画面１１ａから輸液バッグ１２へ光を照射する照射ステップＳ３と、輸液バッグ１２内を検査する検査ステップＳ４と、を備えている。ここで、照射ステップＳ３は、図４に示すように、照明部２０として用いる情報提示部１１の画面１１ａからの光を照明光２１として輸液バッグ１２の背後１２ｂから照射するステップである。検査ステップは、輸液バッグ１２内の異物１６または生成物１７を検査するステップである。
【００４７】
そして、本実施の形態１にかかる薬液混合検査方法は、情報提示部１１の画面１１ａに少なくとも黒色を含む幾何学パターン１５を表示させて、輸液バッグ１２に照射することにより、輸液バッグ１２内の異物１６または生成物１７を検査する方法である。
【００４８】
図４に示すように、画面１１ａからの照明光２１は、輸液バッグ１２の混合液１２ａを通過する時には、異物１６や生成物１７がなければ、光量を維持して通過する。ところが、白濁や凝集塊などの生成物１７があると、照明光２１は、生成物１７で散乱または遮光されるので、矢印２１ａの方向には光量が低減されて出てくる。また、照明光２１が、反射率の高い異物１６に照射されると、照明光２１のほとんどは反射されるため、矢印２１ｂの方向には照明光２１は出てこない。
【００４９】
これにより、輸液バッグ１２の上部から輸液バッグ１２内の混合液１２ａを観察して検査を行うと、異物１６や生成物１７を検出することができる。図４に示すような簡単な装置構成でも、異物１６および生成物１７のうちのいずれも、コントラストよく、確実に検出することができる。
【００５０】
なお、図３のフローチャートに示すように、本実施の形態１の薬液混合検査方法は、検査ステップＳ４の後に、輸液バッグ１２内の混合液中の異物１６または生成物１７を目視で検査する人を照合監査する照合監査ステップＳ５を備えていてもよい。
【００５１】
この方法により、検査内容を確実に医療用の監査として認証することができる。また、目視で検査する人は、図１（ａ）に示す情報提示部１１の上部に配置されたカメラ３１や、虹彩認証装置などの照合監査部（図示せず）などにより認証されることが好ましい。
【００５２】
次に、本実施の形態１の薬液混合検出方法に使用する幾何学パターン１５の例について、具体的に示す。図５から図８は、本発明の実施の形態１にかかる薬液混合検査方法に用いる幾何学パターン１５の一例を示す図である。
【００５３】
図５の幾何学パターン１５は、白の四角形１５ａと黒の四角形１５ｂが交互に隣接した千鳥パターンの例を示す図である。これにより、黒色系の異物１６の背後に白の四角形１５ａが重なり、照明光（図示せず）が照射されると、異物１６が、コントラストよく、確実に検出できる。一方、白色系の生成物１７の背後に黒の四角形１５ｂが重なり、照明光（図示せず）が照射されると、生成物１７が、コントラストよく、確実に検出できる。
【００５４】
なお、この千鳥パターンの白の四角形１５ａと黒の四角形１５ｂが、周期的に入れ替わってもよい。これにより、黒色系の異物１６の背景が黒色に、白色系の生成物１７の背景が白色になっていても、これらの白黒の色が周期的に反転するので、幾何学パターン１５の色が反転した時に、コントラストよく、確実に検出することができる。
【００５５】
図６（ａ）、（ｂ）の幾何学パターン１５は、白の短冊状の格子１５ｃと黒の短冊状の格子１５ｄが交互に隣接した格子パターンの例を示す図である。図６（ａ）および図６（ｂ）は、互いに白と黒とのパターンが入れ替わる例として示している。この入れ替わりは、時間の経過と共に、周期的に行われてもよい。
【００５６】
この方法により、輸液バッグ１２内の混合液中に異物１６や生成物１７が存在すると、前述と同様の効果により、コントラストよく、確実に検出することができる。
【００５７】
図７（ａ）、（ｂ）および図８（ａ）、（ｂ）において、幾何学パターン１５である短冊状のパターンが、画面１１ａ上を左右（図７（ａ）、（ｂ））または上下（図８（ａ）、（ｂ））に移動する方法の例を示している。
【００５８】
この方法によると、短冊状のパターンが輸液バッグ１２をスキャンする際、監査者（目視で検査する人）の目は短冊状のパターンを注視し、このパターンが映し出された輸液バッグ１２の一部の領域を特に注視することになる。これにより、輸液バッグ１２内のこの領域の混合液中に異物１６や生成物１７が存在した場合の見落としがなくなるので、より確実にそれらを検出することができる。
【００５９】
なお、図７や図８の方法に代えて、格子パターンを構成する格子１５ｃ、１５ｄまたは千鳥パターンを構成する四角形１５ａ、１５ｂが、時間経過と共にその面積が拡大または縮小する方法としてもよい。
【００６０】
この方法により、輸液バッグ１２内の混合液中に異物１６や生成物１７が存在すると、その大小にかかわらず、コントラストよく、確実に検出することができる。すなわち、幾何学パターン１５の面積を時間の経過と共に拡大または縮小することにより、小さい異物１６でも検査し易くできる。また、幾何学パターン１５の面積を拡大または縮小することにより、一定の領域に拡がった白濁などの生成物１７が検査し易くなる。
【００６１】
図９は、本発明の実施の形態１にかかる他の薬液混合監査支援システム３０の概略構成を示す平面図である。
【００６２】
図９の薬液混合監査支援システム３０は、図１（ａ）に示す薬液混合監査支援システム１０とは異なり、情報提示部１１と基台部１３とが別個に構成されず、情報提示部１１が基台部１３の表面１３ａの一部に配置されている。したがって、基台部１３の表面１３ａは、混合調製エリア１３ｂとしても情報提示部１１の画面１１ａとしても使用できる。これにより、輸液バッグ１２を表面１３ａの一部に配置された画面１１ａ上に置き、画面１１ａから幾何学パターン１５の照明光（図示せず）を輸液バッグ１２の背後より透過させて照射する。そうすると、輸液バッグ１２内の異物１６または生成物１７を検査することができる。
【００６３】
この構成により、情報提示部１１を基台部１３とは別個に設けなくてよいので、さらにコンパクトで低コストの薬液混合監査支援システム３０を実現できる。
【００６４】
（実施の形態２）
図１０は、本発明の実施の形態２にかかる薬液混合監査支援システム４０の概略構成を示す斜視図である。薬液混合監査システム４０は、図１（ａ）に示す実施の形態１の薬液混合監査支援システム１０の構成要素に加えて、輸液バッグ搭載部４１と、クレードル部４２と、照合監査部４３と、を備えている。ここで、輸液バッグ搭載部４１は、輸液バッグ１２を搭載するもので、クレードル部４２は、シリンジ４４を保持して駆動するシリンジ駆動装置４５を保持するものである。照合監査部４３は、輸液バッグ１２内の黒色の固形物や白色の生成物などの異物を検査する人を照合監査するものである。
【００６５】
この構成により、薬液の混合調製および混合監査並びに異物検査に必要な構成要素を全て備えているので、これらの作業や検査を効率よく行えるコンパクトで低コストの薬液混合監査支援システム４０を実現できる。
【００６６】
すなわち、図１０に示すように、患者に施用する注射薬などの薬液についての情報は、処方箋１８ａを処方箋読取部１８から読み取ってもよいし、処方箋１８ａに印刷された処方箋ＩＤを処方箋読取部１８で読み取り、医療情報データーベース４６に送り、医療情報データベース４６から該当する処方箋情報を制御部１９に取り込んでもよい。
【００６７】
また、薬瓶１４ａから薬液を吸引する場合には、クレードル部４２に保持されたシリンジ駆動装置４５を使用して、これに保持されたシリンジ４４に薬液を吸引する。そして、輸液バッグ１２に混合注入する場合には、輸液バッグ搭載部４１に搭載されて、支持部４１ａに支持された輸液バッグ１２の注出口栓１２ｃにシリンジ４４の針を穿刺して、薬液を注入する。これにより、輸液バッグ１２の中に薬液の混合液１２ａが生成される。
【００６８】
輸液バッグ１２内の異物または生成物を検査する時には、図１（ｂ）に示すものと同様に、情報提示部１１を矢印１１ｂの方向に倒して、画面１１ａをほぼ水平面に近くなるようにした後に、画面１１ａ上に輸液バッグ１２を置いて検査する。
【００６９】
シリンジ駆動装置４５は、使用しない時に常にクレードル部４２に保持されていてもよく、この時に、クレードル部４２により充電される構成としてもよい。また、医療情報データベース４６は、処方箋情報以外の監査情報および混合調製情報などの医療情報を必要に応じて、制御部１９とデータ通信を行うことができる。制御部１９は、これらの情報を取得して、各構成要素を制御でき、各構成要素で取得した医療情報を医療情報データベース４６に送信して蓄積することができる。
【００７０】
図１１は、本発明の実施の形態２にかかる薬液混合検査方法のフローチャートである。本実施の形態２の薬液混合検査方法のフローチャートは、図３に示す実施の形態１のフローチャートと同様のステップを備えた構成としている。
【００７１】
この方法により、輸液バッグ１２の上部から輸液バッグ１２の混合液１２ａを観察して検査を行うと、異物１６や生成物１７をコントラストよく、確実に検出することができる。また、検査内容を確実に医療用の監査として認証することができる。
【００７２】
なお、図１１に示す混合ステップＳ１から照合監査ステップＳ５は、実施の形態１で説明した内容と同様のステップで行われるので、詳細な説明は省略する。
【００７３】
以上の構成により、本実施の形態２の薬液混合監査支援システム４０は、注射薬などの薬液の混合および監査に必要な構成要素が全て揃っているので、例えば、施用する患者のベッドのすぐ側で安全かつ正確に薬液を混合調製し監査できる。また、薬液混合監査支援システム４０は、コンパクトにまとまっており、医療情報データベース４６と繋がっているので携帯性に富むシステムである。
【産業上の利用可能性】
【００７４】
本発明の薬液混合監査支援システムおよび薬液混合検査方法を用いれば、薬剤師や看護師などが安全かつ正確に薬品などを扱うことができ、病院などにおいて看護師や薬剤師などの作業負担を大幅に軽減でき、さらに注射薬を施用される患者の安全性の確保も行うことができるので、有用である。
【符号の説明】
【００７５】
１０，３０，４０  薬液混合監査支援システム
１１    情報提示部
１１ａ  画面
１１ｂ，２１ａ，２１ｂ  矢印
１１ｃ  背部
１１ｄ  画像情報
１１ｅ  ステータス表示
１１ｆ  指示の表示
１１ｇ  患者情報
１１ｈ  薬液情報
１２    輸液バッグ
１２ａ  混合液
１２ｂ  背後
１２ｃ  注出口栓
１３    基台部
１３ａ  表面
１３ｂ  混合調製エリア
１４    薬瓶搭載部
１４ａ  薬瓶
１５    幾何学パターン
１５ａ，１５ｂ  四角形
１５ｃ，１５ｄ  格子
１６    異物
１７    生成物
１８    処方箋読取部
１８ａ  処方箋
１９    制御部
２０    照明部
２１    照明光
３１    カメラ
４１    輸液バッグ搭載部
４１ａ  支持部
４２    クレードル部
４３    照合監査部
４４    シリンジ
４５    シリンジ駆動装置
４６    医療情報データベース
【図１】
2011095024.tif 000003
【図２】
2011095024.tif 000004
【図３】
2011095024.tif 000005
【図４】
2011095024.tif 000006
【図５】
2011095024.tif 000007
【図６】
2011095024.tif 000008
【図７】
2011095024.tif 000009
【図８】
2011095024.tif 000010
【図９】
2011095024.tif 000011
【図１０】
2011095024.tif 000012
【図１１】
2011095024.tif 000013
【図１２】
2011095024.tif 000014